(57)【特許請求の範囲】
【請求項１】
被印字テープを搬送させるための搬送手段と、
前記搬送手段により搬送される前記被印字テープに印字を行って印字テープを生成する印字手段と、
所望の操作入力が可能な操作手段と、
第１方向及び前記第１方向と直交する第２方向を備えた表示領域に所定の表示を行う表示手段と、
を有し、
生成される前記印字テープの外観イメージを前記第１方向に沿って前記表示領域に表示しつつ、当該印字テープに印字する文字列についての前記操作手段を介した編集操作を受け付ける、リアルタイムプレビューモードを備えた印刷装置であって、
動作モードが前記リアルタイムプレビューモードとなっており、前記外観イメージが表示されているときに、前記操作手段を介した文字入力操作を受け付ける第１操作受付手段と、
前記表示手段を制御し、前記第１操作受付手段により受け付けられた前記文字入力操作に基づく未確定文字列の各文字を、前記表示領域のうちの所定の部分において前記第１方向に沿って所定のサイズで表示する第１表示制御手段と、
前記未確定文字列に対する前記操作手段を介した確定操作を受け付ける第２操作受付手段と、
前記表示手段を制御し、前記第２操作受付手段により受け付けられた前記確定操作に対応する１つの文字列を確定文字列として含む前記外観イメージを前記表示領域に表示する第２表示制御手段と、
前記第１操作受付手段により受け付けられた前記文字入力操作に対する少なくとも１つの変換候補を生成する変換候補生成手段と、
を有し、
前記第１表示制御手段は、
前記表示手段を制御し、前記未確定文字列の各文字を、前記表示領域のうちの前記第２方向の一方側端部において前記外観イメージ上に被せて表示しつつ、前記変換候補生成手段により生成された前記変換候補を前記第１方向に沿って表示する変換候補画面領域を、前記表示領域のうちの前記未確定文字列よりも前記第２方向の他方側において前記外観イメージ上に被せて表示し、
前記第２操作受付手段は、
前記未確定文字列に対する前記確定操作として、前記変換候補画面領域に表示されている前記変換候補に対する前記操作手段を介した選択確定操作を受け付け、
前記第２表示制御手段は、
前記表示手段を制御し、前記第２操作受付手段により受け付けられた前記選択確定操作に対応する１つの前記変換候補を前記確定文字列として含む前記外観イメージを前記表示領域に表示する
ことを特徴とする印刷装置。
【請求項２】
請求項１記載の印刷装置において、
前記第１表示制御手段は、
前記表示手段を制御し、前記未確定文字列の各文字を、前記表示領域のうちの前記一方側端部において左側端部から右側に向けて表示する
ことを特徴とする印刷装置。
【請求項３】
被印字テープを搬送させるための搬送手段と、
前記搬送手段により搬送される前記被印字テープに印字を行って印字テープを生成する印字手段と、
所望の操作入力が可能な操作手段と、
第１方向及び前記第１方向と直交する第２方向を備えた表示領域に所定の表示を行う表示手段と、
を有し、
生成される前記印字テープの外観イメージを前記第１方向に沿って前記表示領域に表示しつつ、当該印字テープに印字する文字列についての前記操作手段を介した編集操作を受け付ける、リアルタイムプレビューモードを備えた印刷装置であって、
動作モードが前記リアルタイムプレビューモードとなっており、前記外観イメージが表示されているときに、前記操作手段を介した文字入力操作を受け付ける第１操作受付手段と、
前記表示手段を制御し、前記第１操作受付手段により受け付けられた前記文字入力操作に基づく未確定文字列の各文字を、前記表示領域のうちの所定の部分において前記第１方向に沿って所定のサイズで表示する第１表示制御手段と、
前記未確定文字列に対する前記操作手段を介した確定操作を受け付ける第２操作受付手段と、
前記表示手段を制御し、前記第２操作受付手段により受け付けられた前記確定操作に対応する１つの文字列を確定文字列として含む前記外観イメージを前記表示領域に表示する第２表示制御手段と、
前記第１操作受付手段により受け付けられた前記文字入力操作に対する少なくとも１つの変換候補を生成する変換候補生成手段と、
を有し、
前記第１表示制御手段は、
前記表示手段を制御し、前記未確定文字列を含む前記外観イメージを、前記未確定文字列の各文字が前記表示領域のうちの前記第２方向の一方側端部において前記第１方向に沿って前記所定のサイズで表示されるように、サイズ調整して表示しつつ、前記変換候補生成手段により生成された前記変換候補を前記第１方向に沿って表示する変換候補画面領域を、前記表示領域のうちの前記未確定文字列よりも前記第２方向の他方側において表示し、
前記第２操作受付手段は、
前記未確定文字列に対する前記確定操作として、前記変換候補画面領域に表示されている前記変換候補に対する前記操作手段を介した選択確定操作を受け付け、
前記第２表示制御手段は、
前記表示手段を制御し、前記第２操作受付手段により受け付けられた前記選択確定操作に対応する１つの前記変換候補を前記確定文字列として含む前記外観イメージを前記表示領域に表示する
ことを特徴とする印刷装置。
【発明の詳細な説明】
【技術分野】
【０００１】
本発明は、被印字テープに印字を行う印刷装置に関する。
【背景技術】
【０００２】
従来、被印字テープに印字を行う印刷装置が知られている（例えば、特許文献１参照）。この印刷装置（テープ印刷装置）においては、動作モードとして、リアルタイムプレビューモード（印刷イメージ表示モード）が備えられている。このリアルタイムプレビューモードでは、表示手段（液晶ディスプレイ）に、生成される印字テープ（印刷テープ）の外観イメージ（印刷イメージ）が表示される。そして、この外観イメージの表示状態のまま、操作者は、操作手段（キーボード）を介して、印字テープに印字する文字列についての編集操作を行うことができる。
【先行技術文献】
【特許文献】
【０００３】
【特許文献１】特許第３１１１４４２号公報
【発明の概要】
【発明が解決しようとする課題】
【０００４】
ところで、リアルタイムプレビューモードを備えた印刷装置には、リアルタイムプレビューモードでの文字入力時に、操作者の操作手段を介した文字入力操作に基づく未確定文字列を、生成される印字テープの外観イメージ内に表示するものがある。このような印刷装置においては、未確定文字列の表示位置及び表示文字サイズが定まらないため、リアルタイムプレビューモードでの文字入力画面の操作者による視認性があまり良くなかった。
【０００５】
本発明の目的は、リアルタイムプレビューモードでの文字入力画面の操作者による視認性を高めることができる印刷装置を提供することにある。
【課題を解決するための手段】
【０００６】
上記目的を達成するために、本願発明は、被印字テープを搬送させるための搬送手段と、前記搬送手段により搬送される前記被印字テープに印字を行って印字テープを生成する印字手段と、所望の操作入力が可能な操作手段と、第１方向及び前記第１方向と直交する第２方向を備えた表示領域に所定の表示を行う表示手段と、を有し、生成される前記印字テープの外観イメージを前記第１方向に沿って前記表示領域に表示しつつ、当該印字テープに印字する文字列についての前記操作手段を介した編集操作を受け付ける、リアルタイムプレビューモードを備えた印刷装置であって、動作モードが前記リアルタイムプレビューモードとなっており、前記外観イメージが表示されているときに、前記操作手段を介した文字入力操作を受け付ける第１操作受付手段と、前記表示手段を制御し、前記第１操作受付手段により受け付けられた前記文字入力操作に基づく未確定文字列の各文字を、前記表示領域のうちの所定の部分において前記第１方向に沿って所定のサイズで表示する第１表示制御手段と、前記未確定文字列に対する前記操作手段を介した確定操作を受け付ける第２操作受付手段と、前記表示手段を制御し、前記第２操作受付手段により受け付けられた前記確定操作に対応する１つの文字列を確定文字列として含む前記外観イメージを前記表示領域に表示する第２表示制御手段と、前記第１操作受付手段により受け付けられた前記文字入力操作に対する少なくとも１つの変換候補を生成する変換候補生成手段と、を有し、前記第１表示制御手段は、前記表示手段を制御し、前記未確定文字列の各文字を、前記表示領域のうちの前記第２方向の一方側端部において前記外観イメージ上に被せて表示しつつ、前記変換候補生成手段により生成された前記変換候補を前記第１方向に沿って表示する変換候補画面領域を、前記表示領域のうちの前記未確定文字列よりも前記第２方向の他方側において前記外観イメージ上に被せて表示し、前記第２操作受付手段は、前記未確定文字列に対する前記確定操作として、前記変換候補画面領域に表示されている前記変換候補に対する前記操作手段を介した選択確定操作を受け付け、前記第２表示制御手段は、前記表示手段を制御し、前記第２操作受付手段により受け付けられた前記選択確定操作に対応する１つの前記変換候補を前記確定文字列として含む前記外観イメージを前記表示領域に表示することを特徴とする。
また、上記目的を達成するために、本願発明は、被印字テープを搬送させるための搬送手段と、前記搬送手段により搬送される前記被印字テープに印字を行って印字テープを生成する印字手段と、所望の操作入力が可能な操作手段と、第１方向及び前記第１方向と直交する第２方向を備えた表示領域に所定の表示を行う表示手段と、を有し、生成される前記印字テープの外観イメージを前記第１方向に沿って前記表示領域に表示しつつ、当該印字テープに印字する文字列についての前記操作手段を介した編集操作を受け付ける、リアルタイムプレビューモードを備えた印刷装置であって、動作モードが前記リアルタイムプレビューモードとなっており、前記外観イメージが表示されているときに、前記操作手段を介した文字入力操作を受け付ける第１操作受付手段と、前記表示手段を制御し、前記第１操作受付手段により受け付けられた前記文字入力操作に基づく未確定文字列の各文字を、前記表示領域のうちの所定の部分において前記第１方向に沿って所定のサイズで表示する第１表示制御手段と、前記未確定文字列に対する前記操作手段を介した確定操作を受け付ける第２操作受付手段と、前記表示手段を制御し、前記第２操作受付手段により受け付けられた前記確定操作に対応する１つの文字列を確定文字列として含む前記外観イメージを前記表示領域に表示する第２表示制御手段と、前記第１操作受付手段により受け付けられた前記文字入力操作に対する少なくとも１つの変換候補を生成する変換候補生成手段と、を有し、前記第１表示制御手段は、前記表示手段を制御し、前記未確定文字列を含む前記外観イメージを、前記未確定文字列の各文字が前記表示領域のうちの前記第２方向の一方側端部において前記第１方向に沿って前記所定のサイズで表示されるように、サイズ調整して表示しつつ、前記変換候補生成手段により生成された前記変換候補を前記第１方向に沿って表示する変換候補画面領域を、前記表示領域のうちの前記未確定文字列よりも前記第２方向の他方側において表示し、前記第２操作受付手段は、前記未確定文字列に対する前記確定操作として、前記変換候補画面領域に表示されている前記変換候補に対する前記操作手段を介した選択確定操作を受け付け、前記第２表示制御手段は、前記表示手段を制御し、前記第２操作受付手段により受け付けられた前記選択確定操作に対応する１つの前記変換候補を前記確定文字列として含む前記外観イメージを前記表示領域に表示することを特徴とする。
【０００７】
本願発明の印刷装置においては、動作モードとして、リアルタイムプレビューモードが備えられている。このリアルタイムプレビューモードでは、表示手段の表示領域に、生成される印字テープの外観イメージが第１方向（例えば左右方向）に沿って表示される。そして、この外観イメージの表示状態のまま、操作者は、操作手段を介して、印字テープに印字する文字列についての編集操作を行うことができる。
【０００８】
本願発明の印刷装置においては、動作モードが上記リアルタイムプレビューモードとなっており、上記外観イメージが表示されているときに、操作者が操作手段を介して文字入力すると、その文字入力操作が第１操作受付手段により受け付けられる。すると、第１表示制御手段が、その受け付けられた文字入力操作に基づく未確定文字列の各文字を、表示領域のうちの所定の部分において第１方向に沿って所定のサイズで表示させる。そして、操作者が操作手段を介して上記未確定文字列を確定すると、その確定操作が第２操作受付手段により受け付けられる。すると、第２表示制御手段が、その受け付けられた確定操作に対応する１つの文字列を確定文字列として含む外観イメージを表示させる（外観イメージの表示を切り替える）。
【０００９】
以上のようにして、本願発明では、リアルタイムプレビューモードでの文字入力時に、未確定文字列を操作者が視認し易い位置において操作者が視認し易いサイズの文字で効率的に表示するが可能となる。この結果、リアルタイムプレビューモードでの文字入力画面の操作者による視認性を高めることができる。
【発明の効果】
【００１０】
本発明によれば、リアルタイムプレビューモードでの文字入力画面の操作者による視認性を高めることができる。
【図面の簡単な説明】
【００１１】
【図１】本発明の一実施形態の印刷装置を斜め上方からから見た外観を表す斜視図である。
【図２】下カバーを開放した状態の印刷装置を斜め下方から見た外観を表す斜視図である。
【図３】カートリッジの内部構造を模式的に表す拡大平面図である。
【図４】印刷装置の制御系を表す機能ブロック図である。
【図５】比較例での未確定文字列や変換候補の表示処理を説明するための説明図である。
【図６】同実施形態での未確定文字列や変換候補の表示処理を説明するための説明図である。
【図７】ＣＰＵにより実行される制御手順を表すフローチャートである。
【図８】未確定文字列が所定サイズとなるように倍率調整して表示する変形例での未確定文字列や変換候補の表示処理を説明するための説明図である。
【図９】同変形例での未確定文字列や変換候補の表示処理を説明するための説明図である。
【発明を実施するための形態】
【００１２】
以下、本発明の一実施形態について図面を参照しつつ説明する。
【００１３】
＜全体概略構成＞
まず、図１〜図３を参照しつつ、本実施形態の印刷装置の概略構成を説明する。
【００１４】
図１〜図３において、印刷装置１は、所望の印字を行った印字済みラベル用テープ１０９を所定の長さに切断することにより、印字テープとしての印字ラベル（図示省略）を作成する。なお、本実施形態において、印刷装置１の前・後・左・右・上・下というときは、図１及び図２等に示す方向を指す。
【００１５】
図１及び図２に示すように、印刷装置１の筐体２は、装置下面を構成する下カバー１５と、装置側面を構成する横カバー１６と、装置上面を構成する上カバー１７と、により構成されている。上カバー１７には、前方から後方に向けて、文字入力等の種々の操作が行われるキーボード３（操作手段に相当）、印刷装置１の各種機能を実行させるための機能キー群４（操作手段に相当）、及び、入力された文字や記号等を表示するための表示領域５Ａを備えた液晶ディスプレイ５（表示手段に相当）が設けられている。キーボード３には、例えば、「↑」「←」「→」「↓」の４つのカーソルキーの他、通常のアルファベットや数字のキーが設けられている。機能キー群４には、この例では、電源スイッチ４Ｂ及び印刷（Ｐｒｉｎｔ）キー４Ｃ等が含まれている。表示領域５Ａは、この例では、左右方向（第１方向に相当）を長さ方向、当該左右方向と直交する前後方向（第２方向に相当）を幅方向とする、略長方形状に形成されている。また、横カバー１６の右側後方には、印字済みラベル用テープ１０９（後述の図３参照）を切断するためのカッターレバー７が設けられている。
【００１６】
印刷装置１の上側後方には、カートリッジ８を着脱可能なカートリッジホルダ９が設けられている。このカートリッジホルダ９は、印刷装置１の前側端部を回転軸として開閉可能に構成された上記下カバー１５を閉じると覆われ、下カバー１５を開放すると露出する。
【００１７】
また、図２に示すように、印刷装置１の上側後方には、カートリッジホルダ９に隣接して、電池ＢＴ（後述の図４参照）を複数個収納可能な電池収納部７０が設けられている。なお、図２中、符号６０は、外部電源としてのＡＣアダプタ２２０（後述の図４参照）の出力プラグが接続されるＤＣジャックである。
【００１８】
＜カートリッジ＞
図３に示すように、カートリッジ８は、筐体８Ａと、この筐体８Ａ内に配置され帯状の基材テープ１０１が巻回された第１ロール１０２（実際は渦巻き状であるが、図では簡略的に同心円状に示す）と、上記基材テープ１０１と略同じ幅である、透明なカバーフィルム１０３（被印字テープに相当）が巻回された第２ロール１０４（実際は渦巻き状であるが、図では簡略的に同心円状に示す）と、熱転写リボンであるインクリボン１０５（但し被印字テープが感熱テープの場合は不要）を繰り出すリボン供給側ロール１１１と、印字後のインクリボン１０５を巻き取るリボン巻き取りローラ１０６と、カートリッジ８のテープ排出部の近傍に回転可能に支持されたテープ送りローラ２７と、を有する。また、カートリッジ８の例えば筺体８Ａには、カートリッジホルダ９へのカートリッジ８の装着時に、印刷装置１の筐体２に設置されたカートリッジセンサ６（後述の図４参照）により検出される被検出部６Ａ（図２参照）が設けられている。
【００１９】
テープ送りローラ２７は、上記基材テープ１０１と上記カバーフィルム１０３とを押圧し接着させ印字済みラベル用テープ１０９としつつ、図３中矢印Ａで示す方向にテープ送りを行う。
【００２０】
第１ロール１０２は、リール部材１０２ａの周りに上記基材テープ１０１を巻回している。基材テープ１０１は、この例では４層構造となっており、詳細な図示を省略するが、内側に巻かれる側からその反対側へ向かって、適宜の粘着剤からなる貼り合わせ用粘着層、ＰＥＴ（ポリエチレンテレフタラート）等からなる色付きのベースフィルム、適宜の粘着剤からなる貼り付け用粘着層、剥離紙の順序で積層され構成されている。
【００２１】
第２ロール１０４は、リール部材１０４ａの周りに上記カバーフィルム１０３を巻回している。第２ロール１０４より繰り出されるカバーフィルム１０３の裏面に、インクリボン１０５がサーマルヘッド２３（印字手段に相当。図２も参照）に押圧されて当接させられる。
【００２２】
このとき、上記のカートリッジ８の構成に対応して、カートリッジホルダ９には、上記使用済みのインクリボン１０５を巻き取るためのリボン巻き取りローラ駆動軸１０７（図２も参照）と、印字済みラベル用テープ１０９を搬送するための上記テープ送りローラ２７を駆動するためのテープ送りローラ駆動軸１０８（搬送手段に相当。図２も参照）と、が設けられている。また、カートリッジホルダ９には、カバーフィルム１０３に所望の印刷を行う上記サーマルヘッド２３が、カートリッジ８の装着時にカートリッジ８の開口部１４（図２参照）に位置するように設けられている。
【００２３】
リボン巻き取りローラ１０６及びテープ送りローラ２７は、カートリッジ８外に設けた例えばパルスモータである駆動モータ２１１（後述の図４参照）の駆動力が、図示しないギヤ機構を介し上記リボン巻き取りローラ駆動軸１０７及び上記テープ送りローラ駆動軸１０８に伝達されることにより、互いに連動し回転駆動される。
【００２４】
上記構成において、カートリッジ８が上記カートリッジホルダ９に装着されロールホルダがリリース位置（図示省略）から図３に示す印字位置に移動されると、カバーフィルム１０３及びインクリボン１０５が、上記サーマルヘッド２３と、このサーマルヘッド２３に対向して設けられたプラテンローラ２６と、の間に狭持される。これと共に、基材テープ１０１及びカバーフィルム１０３が、テープ送りローラ２７と、テープ送りローラ２７に対向して設けられた圧着ローラ２８と、の間に狭持される。そして、上記駆動モータ２１１の駆動力により、リボン巻き取りローラ１０６及びテープ送りローラ２７が、図３中矢印Ｂ及び矢印Ｃで示す方向にそれぞれ同期して回転駆動される。このとき、前述のテープ送りローラ駆動軸１０８と上記圧着ローラ２８及び上記プラテンローラ２６は、ギヤ機構（図示せず）にて連結されており、テープ送りローラ駆動軸１０８の駆動に伴いテープ送りローラ２７、圧着ローラ２８、及びプラテンローラ２６が回転し、第１ロール１０２から基材テープ１０１が繰り出され、上述のようにテープ送りローラ２７へ供給される。
【００２５】
一方、第２ロール１０４からはカバーフィルム１０３が繰り出されると共に、サーマルヘッド制御回路２１７（後述の図４参照）によりサーマルヘッド２３に設けられた複数の発熱素子が通電され発熱する。このとき、カバーフィルム１０３の裏面側（すなわち上記基材テープ１０１と接着される側）には、リボン巻き取りローラ１０６により駆動されるインクリボン１０５が、上記サーマルヘッド２３に押圧されて当接させられる。この結果、カバーフィルム１０３の裏面に、所望の文字や記号等の印字データに対応した印字（詳細は後述）が印刷される。
【００２６】
そして、上記基材テープ１０１と上記印刷が終了したカバーフィルム１０３とが、上記テープ送りローラ２７及び圧着ローラ２８の押圧により上記貼り合わせ用粘着層により接着されて一体化され、印字済みラベル用テープ１０９として形成され、カートリッジ８外へと排出される。カバーフィルム１０３への印字が終了したインクリボン１０５は、リボン巻き取りローラ駆動軸１０７の駆動によりリボン巻き取りローラ１０６に巻き取られる。
【００２７】
カートリッジ８外へ排出された印字済みラベル用テープ１０９の搬送経路の下流側には、固定刃４０と可動刃４１とを備えた切断機構４２が設けられている。上記カッターレバー７が操作されることにより可動刃４１が動作し、上記印字済みラベル用テープ１０９が切断され、切断された印字済みラベル用テープ１０９（以下適宜、単に「印字ラベル」という）が生成される。
【００２８】
＜制御系＞
次に、図４を参照しつつ、印刷装置１の制御系を説明する。
【００２９】
図４に示すように、印刷装置１は、所定の演算を行うＣＰＵ２１２を有する。
【００３０】
ＣＰＵ２１２には、上記キーボード３と、上記機能キー群４と、上記液晶ディスプレイ５と、ＥＥＰＲＯＭ２１４と、ＲＡＭ２１３と、カートリッジセンサ６と、が接続されている。また、ＣＰＵ２１２は、ＡＣアダプタ２２０に接続され印刷装置１の電源のオン・オフ処理を行う電源回路２１５と、上記リボン巻き取りローラ駆動軸１０７及び上記テープ送りローラ駆動軸１０８を駆動する駆動モータ２１１の駆動制御を行うモータ駆動回路２１６と、上記サーマルヘッド２３の発熱素子の通電制御を行うサーマルヘッド制御回路２１７と、に接続されている。
【００３１】
ＥＥＰＲＯＭ２１４には、各種制御プログラム（後述の図７のフローチャートに示す処理を実行する印刷処理プログラムを含む）が記憶されている。ＣＰＵ２１２は、ＲＡＭ２１３の一時記憶機能を利用しつつＥＥＰＲＯＭ２１４に記憶されたプログラムに従って信号処理を行い、これにより印刷装置１全体の制御を行う。
【００３２】
カートリッジセンサ６は、カートリッジホルダ９へ装着したカートリッジ８等に適宜に形成された上記被検出部６Ａを、公知の手法（例えば機械的な接触式の手法、あるいは磁気・光学的手法を用いた非接触式の手法等）により検出する。ＣＰＵ２１２は、このカートリッジセンサ６の検出結果に基づき、当該カートリッジ８の種別情報を取得する。この種別情報には、各カートリッジ８に備えられる上記カバーフィルム１０３及び基材テープ１０１のテープ幅情報が少なくとも含まれる。
【００３３】
＜本実施形態の特徴＞
以上の基本構成において、本実施形態の特徴は、リアルタイムプレビューモードでの文字入力時に液晶ディスプレイ５の表示領域５Ａに表示される画面における、操作者のキーボード３等を介した文字入力操作に基づく未確定文字列や変換候補の表示手法にある。以下、その詳細を、比較例を用いつつ説明する。
【００３４】
＜テキスト入力モード及びリアルタイムプレビューモード＞
印刷装置１には、印字ラベルに印字する文字列（１文字も含む）についての編集操作が可能な動作モードとして、テキスト入力モード及びリアルタイムプレビューモードが備えられている。
【００３５】
テキスト入力モードでは、液晶ディスプレイ５の表示領域５Ａに、所定のテキスト入力画面が表示される（図示省略）。このテキスト入力画面の表示状態で、操作者は、キーボード３や機能キー群４等を介して、印字ラベルに印字する文字列についての編集操作を行うことができる。
【００３６】
一方、リアルタイムプレビューモードでは、液晶ディスプレイ５の表示領域５Ａに、生成される印字ラベルの外観イメージとしてのラベルイメージ（言い換えれば、その時点までの操作者のキーボード３や機能キー群４等を介した編集操作に対応する印字ラベルのラベルイメージ）ＩＭを左右方向に沿って表示するプレビュー画面が表示される（後述の図５（ａ）〜（ｃ）及び図６（ａ）〜（ｄ）参照）。このプレビュー画面の表示状態で、操作者は、ラベルイメージＩＭを見ながら、上記テキスト入力モードと同様、キーボード３や機能キー群４等を介して、印字ラベルに印字する文字列についての編集操作（後述の文字入力操作や後述の選択確定操作等を含む）を行うことができる。
【００３７】
＜比較例での未確定文字列や変換候補の表示処理＞
ここで、図５（ａ）〜（ｃ）を参照しつつ、比較例での未確定文字列や変換候補の表示処理を説明する。
【００３８】
図５（ａ）に、リアルタイムプレビューモードにおいて、液晶ディスプレイ５の表示領域５Ａに表示されたプレビュー画面５Ｂ′を示す。図５（ａ）に示す例のプレビュー画面５Ｂ′では、文字列「ａｂｃｄｅｆａｂｃｄｅｆ」を、文字変換が確定した確定文字列として含む、ラベルイメージＩＭが表示されている。なお、確定文字列「ａｂｃｄｅｆａｂｃｄｅｆ」のうちの最初の「ａ」及びその次の「ｂ」の一部は、プレビュー画面５Ｂ′内に収まらずスクロールすることで表示される。また、このプレビュー画面５Ｂ′では、ラベルイメージＩＭ内の確定文字列「ａｂｃｄｅｆａｂｃｄｅｆ」のうちの最後の「ｆ」の直後に、カーソル５１が表示されている。
【００３９】
図５（ａ）に示すプレビュー画面５Ｂ′の表示状態で、操作者が、文字列「埋め合わせられるでしょう」を追加することを意図し、キーボード３を操作して、文字「う」「め」を入力したとする。
【００４０】
この場合、図５（ｂ）に示すように、プレビュー画面５Ｂ′では、上記入力された文字列「うめ」の各文字が、文字変換が確定していない未確定文字列の各文字として、ラベルイメージＩＭ内のカーソル５１の位置から続けて、色が反転された状態で表示される。このとき、ラベルイメージＩＭ内の文字列「ａｂｃｄｅｆａｂｃｄｅｆうめ」は、後述のポップアップ５３′に重ならないようにスクロールされる。また、これと同時に、上記入力された文字列「うめ」に対する変換候補を表示するポップアップ５３′が、プレビュー画面５Ｂ′のうちの右側に表示される。なお、「梅」「宇目」「ウメ」以外の変換候補は、ポップアップ５３の領域内に収まらずスクロールすることで表示される。
【００４１】
図５（ｂ）に示すプレビュー画面５Ｂ′の表示状態で、操作者が、キーボード３等を操作して、文字「あ」「わ」「せ」「ら」「れ」「る」「で」「し」「ょ」「う」を入力したとする。
【００４２】
この場合、図５（ｃ）に示すように、プレビュー画面５Ｂ′では、上記入力された文字列「あわせられるでしょう」の各文字が、未確定文字列の各文字として、ラベルイメージＩＭ内の未確定文字列「うめ」に続けて、色が反転された状態で表示される。このとき、ラベルイメージＩＭ内の文字列「ａｂｃｄｅｆａｂｃｄｅｆうめあわせられるでしょう」は、後述のポップアップ５３′に重ならないようにスクロールされる。また、これと同時に、上記入力された文字列「うめあわせられるでしょう」に対する変換候補を表示するポップアップ５３′が、プレビュー画面５Ｂ′のうちの右側に表示される。なお、「埋め合わせられるでしょう（但し「しょう」は表示されていない）」「うめあわせられるでしょう（但し「しょう」は表示されていない）」「ウメアワセラレルデショウ（但し「ショウ」は表示されていない）」以外の変換候補は、ポップアップ５３の領域内に収まらずスクロールすることで表示される。
【００４３】
このように、比較例では、未確定文字列をラベルイメージＩＭ内に表示するため、設定文字サイズが大きい場合（テープ幅が広い場合）には、未確定文字列の表示文字サイズも大きくなるので、未確定文字列の表示文字数が少なくなってしまい、設定文字サイズが小さい場合（テープ幅が狭い場合）には、未確定文字列の表示文字サイズも小さくなるので、未確定文字列が視認しづらくなってしまう。また、比較例では、変換候補を表示するポップアップ５３′の表示用領域を確保するためにラベルイメージＩＭ内の未確定文字列を含む文字列をスクロールして（言い換えれば、未確定文字列の表示用領域を縮小して）、プレビュー画面５Ｂ′のうちの右側に上記ポップアップ５３′を表示するため、未確定文字列の表示文字数が余計に少なくなってしまうと共に、スクロールの仕様が複雑になってしまう。以上のように、比較例では、リアルタイムプレビューモードでの文字入力画面の操作者による視認性があまり良くなく、またスクロールの仕様が複雑になってしまう。
【００４４】
＜本実施形態での未確定文字列や変換候補の表示処理＞
次に、図６（ａ）〜（ｄ）を参照しつつ、本実施形態での未確定文字列や変換候補の表示処理を説明する。
【００４５】
図６（ａ）には、リアルタイムプレビューモードにおいて、液晶ディスプレイ５の表示領域５Ａの略全域に亘って表示された、上記図５（ａ）に示すプレビュー画面５Ｂ′と同様の、確定文字列「ａｂｃｄｅｆａｂｃｄｅｆ」を含むラベルイメージＩＭを左右方向に沿って表示するプレビュー画面５Ｂを示している。
【００４６】
図６（ａ）に示すプレビュー画面５Ｂの表示状態で、操作者が、上記比較例と同様、キーボード３を操作して、文字「う」「め」を入力（＝文字入力操作に相当）したとする。
【００４７】
この場合、図６（ｂ）に示すように、プレビュー画面５Ｂでは、上記入力された文字列「うめ」の各文字が、未確定文字列の各文字として、プレビュー画面５Ｂ（表示領域５Ａ）のうちの前側端部（プレビュー画面５Ｂを上方から見た図６（ａ）〜（ｄ）中の下側端部。第２方向の一方側端部及び所定の部分に相当）において左側端部から右側に向けて、所定のサイズでかつ色が反転された状態で、ラベルイメージＩＭ上に被せて表示される。また、これと同時に、上記入力された文字列「うめ」に対する変換候補を左横書きで表示するポップアップ５３（変換候補画面領域に相当）が、プレビュー画面５Ｂ（表示領域５Ａ）のうちの未確定文字列「うめ」の後側（プレビュー画面５Ｂを上方から見た図６（ａ）〜（ｄ）中の上側。第２方向の他方側に相当）において、ラベルイメージＩＭ上に被せて表示される。なお、「梅」「宇目」「ウメ」以外の変換候補は、ポップアップ５３の領域内に収まらずスクロールすることで表示される。
【００４８】
本実施形態では、ポップアップ５３で表示される変換候補は、公知の「かな漢字変換」手法により生成される。すなわち、文字列が入力されると、上記ＥＥＰＲＯＭ２１４に記憶された、かな漢字変換用の語彙データベース（辞書）を用いて、当該文字列に対する変換候補が生成され、ポップアップ５３で表示される。なお、ポップアップ５３で表示される変換候補は、公知の「入力予測変換」手法等により生成されてもよい。また、本実施形態では、上記のように、ポップアップ５３で同時に表示される変換候補の数を、３つ（図５（ｂ）に示す場面では「梅」「宇目」「ウメ」の３つ）としている。なお、ポップアップ５３で同時に表示される変換候補の数を、３つ以外の他の数としてもよい。あるいは、ポップアップ５３で同時に表示される変換候補の数を、液晶ディスプレイ５の表示領域５Ａの大きさに応じて増減させてもよい。また、本実施形態では、上記のように、表示される未確定文字列を、入力された文字列に対応する未変換文字列（図５（ｂ）に示す場面では「うめ」）としている。なお、表示される未確定文字列を、ポップアップ５３で選択されている１つの変換候補（図５（ｂ）に示す場合では「梅」）としてもよい。
【００４９】
図６（ｂ）に示すプレビュー画面５Ｂの表示状態で、操作者が、上記比較例と同様、キーボード３等を操作して、文字「あ」「わ」「せ」「ら」「れ」「る」「で」「し」「ょ」「う」を入力（＝文字入力操作に相当）したとする。
【００５０】
この場合、図６（ｃ）に示すように、プレビュー画面５Ｂでは、未確定文字列「うめ」に続けて、上記入力された文字列「あわせられるでしょう」の各文字が、未確定文字列の各文字として、プレビュー画面５Ｂのうちの前側端部の左右方向略全域に亘って所定のサイズでかつ色が反転された状態で、ラベルイメージＩＭ上に被せて表示される。なお、未確定文字列「うめあわせられるでしょう」のうちの先頭側の「うめ」は、プレビュー画面５Ｂ内に収まらずスクロールすることで表示される。また、これと同時に、上記入力された文字列「うめあわせられるでしょう」に対する変換候補を左横書きで表示するポップアップ５３が、プレビュー画面５Ｂのうちの未確定文字列「うめあわせられるでしょう」の後側において、ラベルイメージＩＭ上に被せて表示される。なお、「埋め合わせられるでしょう（但し後尾側の「しょう」は表示されていない）」「うめあわせられるでしょう（但し後尾側の「しょう」は表示されていない）」「ウメアワセラレルデショウ（但し後尾側の「ショウ」は表示されていない）」以外の変換候補は、ポップアップ５３の領域内に収まらずスクロールすることで表示される。
【００５１】
本実施形態では、未確定文字列がプレビュー画面５Ｂ内に収まらなくなった場合には、文字入力操作に追従するように未確定文字列をスクロールする。この結果、上記のように、未確定文字列の先頭側（図５（ｃ）の場面では「うめあわせられるでしょう」のうちの「うめ」）が非表示とされてスクロールすることで表示されるようにされている。なお、未確定文字列がプレビュー画面５Ｂ内に収まらなくなった場合に、プレビュー画面５Ｂ内に収まるように未確定文字列の表示サイズを縮小してもよい。あるいは、未確定文字列がプレビュー画面５Ｂ内に収まらなくなった場合に、未確定文字列の後尾側を非表示としてスクロールすることで表示されるようにしてもよい。また、本実施形態では、上記のように、変換候補がポップアップ５３の領域内に収まらない場合には、変換候補の後尾側（図５（ｃ）の場面では、「埋め合わせられるでしょう」のうちの「しょう」、「うめあわせられるでしょう」のうちの「しょう」、「ウメアワセラレルデショウ」のうちの「ショウ」）を非表示としている。なお、変換候補がポップアップ５３の領域内に収まらなくなった場合に、文字入力操作に追従するように変換候補をスクロールしてもよい。あるいは、変換候補がポップアップ５３の領域内に収まらなくなった場合に、ポップアップ５３の領域内に収まるように変換候補の表示サイズを縮小してもよい。
【００５２】
図６（ｃ）に示すプレビュー画面５Ｂの表示状態で、操作者が、キーボード３等を操作して、未確定文字列「うめあわせられるでしょう」を、ポップアップ５３に表示されている変換候補「埋め合わせられるでしょう」に選択確定（＝確定操作及び選択確定操作に相当）したとする。
【００５３】
この場合、図６（ｄ）に示すように、プレビュー画面５Ｂでは、確定文字列「ａｂｃｄｅｆａｂｃｄｅｆ」に続けて、上記選択確定された１つの変換候補「埋め合わせられるでしょう」を、確定文字列として含む、ラベルイメージＩＭの表示に切り替えられる。なお、確定文字列「ａｂｃｄｅｆａｂｃｄｅｆ埋め合わせられるでしょう」のうちの「ａｂｃｄｅｆａｂｃｄｅｆ埋め合」及び「わ」の一部は、画面内に収まらずスクロールすることで表示される。
【００５４】
＜制御手順＞
以下、図７を参照しつつ、上述した手法を実現するために上記ＣＰＵ２１２により実行される処理手順を説明する。
【００５５】
図７において、例えば操作者がキーボード３や機能キー群４等を適宜に操作し、印刷装置１の動作モードをリアルタイムプレビューモードとすることにより、このフローチャートの処理が開始される（「ＳＴＡＲＴ」位置）。
【００５６】
まず、ステップＳ１０で、ＣＰＵ２１２は、カートリッジセンサ６の検出結果に基づき、カートリッジホルダ９に装着されたカートリッジ８のカバーフィルム１０３のテープ幅を取得する。すなわち、カートリッジセンサ６は、カートリッジホルダ９に装着されたカートリッジ８等に適宜に形成された被検出部６Ａを、公知の手法（例えば機械的な接触式の手法、あるいは磁気・光学的手法を用いた非接触式の手法等）により検出する。ＣＰＵ２１２は、このカートリッジセンサ６の検出結果に基づき、カートリッジホルダ９に装着されたカートリッジ８の種別情報を取得し、対応する上記テープ幅を取得する。
【００５７】
その後、ステップＳ２０で、ＣＰＵ２１２は、液晶ディスプレイ５に表示信号を出力し、表示領域５Ａの略全域に亘って、上記ステップＳ１０で取得されたテープ幅に対応するラベルイメージＩＭを左右方向に沿って表示するプレビュー画面５Ｂを表示させる。
【００５８】
そして、ステップＳ３０で、ＣＰＵ２１２は、操作者のキーボード３等を介した文字入力操作を受け付ける。なお、このステップＳ３０を実行するＣＰＵ２１２が、各請求項記載の第１操作受付手段として機能する。
【００５９】
その後、ステップＳ４０で、ＣＰＵ２１２は、上記ステップＳ３０での文字入力操作に対応する文字列に基づき、ＥＥＰＲＯＭ２１４に記憶された、かな漢字変換用の語彙データベースを用いて、当該文字列に対する少なくとも１つの変換候補を生成する。なお、このステップＳ４０を実行するＣＰＵ２１２が、各請求項記載の変換候補生成手段として機能する。
【００６０】
そして、ステップＳ５０で、ＣＰＵ２１２は、液晶ディスプレイ５に表示信号を出力し、上記ステップＳ３０での文字入力操作に対応する文字列の各文字を、未確定文字列の各文字として、プレビュー画面５Ｂのうちの前側端部において左側端部から右側に向けて、所定のサイズでかつ色が反転された状態で、ラベルイメージＩＭ上に被せて表示させつつ、上記ステップＳ４０で生成された変換候補を左横書きで表示するポップアップ５３を、プレビュー画面５Ｂのうちの未確定文字列の後側において、ラベルイメージＩＭ上に被せて表示させる。なお、このステップＳ５０を実行するＣＰＵ２１２が、各請求項記載の第１表示制御手段として機能する。
【００６１】
その後、ステップＳ６０で、ＣＰＵ２１２は、ポップアップ５３に表示されている変換候補に対する操作者のキーボード３等を介した選択確定操作を受け付けたか否かを判定する。選択確定操作を受け付けていない場合には、ステップＳ６０の判定は満たされず（Ｓ６０：Ｎｏ）、上記ステップＳ３０に戻り同様の手順を繰り返す。これにより、操作者が選択確定操作を行うまでの間の上記文字入力操作が可能になる。選択確定操作を受け付けた場合には、ステップＳ６０の判定が満たされて（Ｓ６０：Ｙｅｓ）、ステップＳ７０に移る。なお、このステップＳ６０を実行するＣＰＵ２１２が、各請求項記載の第２操作受付手段として機能する。
【００６２】
ステップＳ７０では、ＣＰＵ２１２は、液晶ディスプレイ５に表示信号を出力し、プレビュー画面５ＢのラベルイメージＩＭの表示を、上記ステップＳ６０での選択確定操作に対応する１つの変換候補（文字列）を、確定文字列として含む、ラベルイメージＩＭの表示に切り替える。なお、このステップＳ７０を実行するＣＰＵ２１２が、各請求項記載の第２表示制御手段として機能する。
【００６３】
そして、ステップＳ８０で、ＣＰＵ２１２は、印刷キー４Ｃが押されたか否かを判定する。印刷キー４Ｃが押されていない場合には、ステップＳ８０の判定は満たされず（Ｓ８０：Ｎｏ）、上記ステップＳ３０に戻り同様の手順を繰り返す。これにより、操作者が印刷キー４Ｃを押すまでの間の上記文字入力操作が可能になる。印刷キー４Ｃが押された場合には、ステップＳ８０の判定が満たされて（Ｓ８０：Ｙｅｓ）、ステップＳ９０に移る。
【００６４】
ステップＳ９０では、ＣＰＵ２１２は、この時点で液晶ディスプレイ５の表示領域５Ａに表示されているプレビュー画面５ＢのラベルイメージＩＭに対応した印字形成を実行するための、サーマルヘッド２３の発熱素子を通電する印字データを生成する。
【００６５】
その後、ステップＳ１００で、ＣＰＵ２１２は、モータ駆動回路２１６に制御信号を出力し、駆動モータ２１１によりテープ送りローラ駆動軸１０８及びリボン巻き取りローラ駆動軸１０７を駆動開始する。これにより、カバーフィルム１０３、基材テープ１０１、及び印字済みラベル用テープ１０９（以下適宜、単に「カバーフィルム１０３等」という）の搬送が開始される。
【００６６】
そして、ステップＳ１１０で、ＣＰＵ２１２は、上記ステップＳ９０で生成された印字データに基づき、上記のようにして搬送されるカバーフィルム１０３等が所定の印字領域の開始位置まで搬送されたかどうか（言い替えれば、印字領域の前端にサーマルヘッド２３が正対する搬送方向位置になるまでカバーフィルム１０３等が搬送されたかどうか）を判定する。この判定は、例えばステッピングモータからなる駆動モータ２１１のパルス数をカウントする等、公知の適宜の手法により行えば足りる。カバーフィルム１０３等が印字領域の開始位置まで搬送されていなければ、ステップＳ１１０の判定は満たされず（Ｓ１１０：ＮＯ）、ループ待機する。カバーフィルム１０３等が印字領域の開始位置まで搬送されたら、ステップＳ１１０の判定が満たされて（Ｓ１１０：ＹＥＳ）、ステップＳ１２０に移る。
【００６７】
ステップＳ１２０では、ＣＰＵ２１２は、上記ステップＳ９０で生成された印字データに基づき、サーマルヘッド２３の発熱素子に通電する印字処理を行う。これにより、カバーフィルム１０３に、上記通電された発熱素子によりインクリボン１０５のインクが転写され、上記印字データに対応した印字が形成される。
【００６８】
その後、ステップＳ１３０で、ＣＰＵ２１２は、上記のようにして搬送されるカバーフィルム１０３等が印字領域の終了位置まで搬送されたかどうか（言い替えれば、印字領域の後端にサーマルヘッド２３が正対する搬送方向位置になるまでカバーフィルム１０３等が搬送されたかどうか）を判定する。この判定も上記同様の公知の手法により行えば足りる。カバーフィルム１０３等が印字領域の終了位置まで搬送されていなければ、ステップＳ１３０の判定は満たされず（Ｓ１３０：ＮＯ）、上記ステップＳ１２０に戻り同様の手順を繰り返す。カバーフィルム１０３等が印字領域の終了位置まで搬送されていれば、ステップＳ１３０の判定が満たされて（Ｓ１３０：ＹＥＳ）、ステップＳ１４０に移る。
【００６９】
ステップＳ１４０では、ＣＰＵ２１２は、上記ステップＳ９０で生成された印字データに基づき、搬送されるカバーフィルム１０３等が、上記印字データに基づき印字領域よりラベル後端側に設定される所定の切断位置まで搬送されたかどうか（すなわち、切断位置に上記可動刃４１が正対する搬送方向位置になるまで、印字済みラベル用テープ１０９が搬送されたかどうか）を判定する。この判定も、前述と同様の公知の手法により行えば足りる。カバーフィルム１０３等が切断位置まで搬送されていなければ、ステップＳ１４０の判定は満たされず（Ｓ１４０：ＮＯ）、ループ待機する。カバーフィルム１０３等が切断位置まで搬送されたら、ステップＳ１４０の判定が満たされて（Ｓ１４０：ＹＥＳ）、ステップＳ１５０に移る。
【００７０】
ステップＳ１５０では、ＣＰＵ２１２は、モータ駆動回路２１６に制御信号を出力し、駆動モータ２１１によるテープ送りローラ駆動軸１０８及びリボン巻き取りローラ駆動軸１０７の駆動を停止する。これにより、カバーフィルム１０３等の搬送が停止する。
【００７１】
そして、ステップＳ１６０で、ＣＰＵ２１２は、液晶ディスプレイ５に表示信号を出力する。これにより、操作者に対し、カッターレバー７を操作し可動刃４１を動作させ印字済みラベル用テープ１０９を切断するよう促す、適宜の表示が表示領域５Ａにおいて行われる。この表示に対応して操作者がカッターレバー７を操作することで、印字済みラベル用テープ１０９の切断が行われ、印字ラベルが生成される。以上により、このフローチャートの処理が終了する。
【００７２】
＜本実施形態の効果＞
以上説明したように、本実施形態においては、動作モードがリアルタイムプレビューモードとなっており、ラベルイメージＩＭが表示されているときに、操作者がキーボード３等を介して文字入力すると、その文字入力操作に基づく未確定文字列の各文字を、表示領域５Ａのうちの所定の部分（上記の例では前側端部）において左右方向に沿って所定のサイズで表示させる。そして、操作者がキーボード３等を介して上記未確定文字列を確定すると、その確定操作に対応する１つの文字列を確定文字列として含むラベルイメージＩＭを表示させる（ラベルイメージＩＭの表示を切り替える）。
【００７３】
以上のようにして、本実施形態では、リアルタイムプレビューモードでの文字入力時に、未確定文字列を操作者が視認し易い位置において操作者が視認し易いサイズの文字で効率的に表示するが可能となる。この結果、リアルタイムプレビューモードでの文字入力画面の操作者による視認性を高めることができる。
【００７４】
また、本実施形態では特に、未確定文字列の各文字を、表示領域５Ａのうちの前側端部において表示しつつ、変換候補を左右方向に沿って表示するポップアップ５３を、表示領域５Ａのうちの未確定文字列よりも後側において表示する。これにより、未確定文字列及び変換候補それぞれの表示用領域を左右方向に広くなるように確保することができるので、未確定文字及び変換候補について操作者が視認し易いサイズの文字で多数の文字を表示するができる。また、未確定文字の左右方向へのスクロールをなくすことが可能となる。したがって、リアルタイムプレビューモードでの文字入力画面の操作者による視認性をさらに高めることができる。
【００７５】
また、本実施形態では特に、未確定文字列の各文字を、表示領域５Ａのうちの前側端部においてラベルイメージＩＭ上に被せて表示しつつ、ポップアップ５３を、表示領域５Ａのうちの未確定文字列よりも後側においてラベルイメージＩＭ上に被せて表示する。これにより、リアルタイムプレビューモードでの文字入力画面の操作者による視認性を高めた印刷装置１を実現できる。
【００７６】
また、本実施形態では特に、未確定文字列の各文字を、表示領域５Ａのうちの前側端部において左側端部から右側に向けて表示する。これにより、未確定文字列の表示用領域を左右方向に広くなるように確実に確保することができ、未確定文字列について操作者が視認し易いサイズの文字で多数の文字を確実に表示するができる。したがって、リアルタイムプレビューモードでの文字入力画面の操作者による視認性を確実に高めることができる。
【００７７】
＜変形例等＞
なお、本発明は、上記実施形態に限られるものではなく、その趣旨及び技術的思想を逸脱しない範囲内で種々の変形が可能である。以下、そのような変形例を説明する。
【００７８】
（１）未確定文字列が所定サイズとなるように倍率調整して表示する場合
上記実施形態では、未確定文字列の各文字をプレビュー画面５Ｂのうちの前側端部において左右方向に沿って所定のサイズでラベルイメージＩＭ上に被せて表示する場合を例にとって説明したが、これに限られない。例えば、未確定文字列を含むラベルイメージＩＭを、当該未確定文字列がプレビュー画面５Ｂのうちの前側端部において左右方向に沿って所定のサイズで表示されるように、サイズ調整して表示してもよい。
【００７９】
以下、図８（ａ）（ｂ）及び図９（ａ）（ｂ）を参照しつつ、本変形例での未確定文字列や変換候補の表示処理を説明する。
【００８０】
図８（ａ）には、リアルタイムプレビューモードにおいて、液晶ディスプレイ５の表示領域５Ａの略全域に亘って表示された、確定文字列「ＡＢＣＤＥＦＧＨＩＪＫＬＭＮＯＱＲＳＴＵＶＷＸＹＺ」を含む、比較的大きなテープ幅に対応するラベルイメージＩＭを左右方向に沿って表示するプレビュー画面５Ｂを示している。なお、確定文字列「ＡＢＣＤＥＦＧＨＩＪＫＬＭＮＯＱＲＳＴＵＶＷＸＹＺ」のうちの先頭側の「ＡＢＣＤＥＦＧＨＩＪＫＬＭＮＯＱＲＳＴ」は、プレビュー画面５Ｂ内に収まらずスクロールすることで表示される。また、比較的大きなテープ幅でなくても、指定倍率が比較的大きいときにも、上記と同様の表示態様となる。
【００８１】
図８（ａ）に示すプレビュー画面５Ｂの表示状態で、操作者が、キーボード３を操作して、文字「う」「め」を入力したとする。
【００８２】
この場合、図８（ｂ）に示すように、プレビュー画面５Ｂでは、上記入力された文字列「うめ」の各文字が、未確定文字列の各文字として、ラベルイメージＩＭ内のカーソル５１の位置から続けて、色が反転された状態で表示される。このとき、確定文字列及び未確定文字列「うめ」を含むラベルイメージＩＭは、当該未確定文字列「うめ」の各文字が、プレビュー画面５Ｂのうちの前側端部において所定のサイズで表示されるように、自動的にサイズ調整（この例では縮小）されて表示される。また、これと同時に、上記入力された文字列「うめ」に対する変換候補を左横書きで表示するポップアップ５３が、プレビュー画面５Ｂのうちの未確定文字列「うめ」の後側において（この例では、上記縮小されたラベルイメージＩＭに被さらずに）表示される。
【００８３】
一方、図９（ａ）には、リアルタイムプレビューモードにおいて、液晶ディスプレイ５の表示領域５Ａの略全域に亘って表示された、１〜３行目に同一の内容の確定文字列「ＡＢＣＤＥＦＧＨＩＪＫＬＭＮＯＱＲＳＴＵＶＷＸＹＺ」を含む、比較的小さなテープ幅に対応するラベルイメージＩＭを左右方向に沿って表示するプレビュー画面５Ｂを示している。なお、各行の確定文字列「ＡＢＣＤＥＦＧＨＩＪＫＬＭＮＯＱＲＳＴＵＶＷＸＹＺ」のうちの先頭側の「ＡＢＣ」の一部は、プレビュー画面５Ｂ内に収まらずスクロールすることで表示される。また、比較的小さなテープ幅でなくても、指定倍率が比較的小さいときや、指定行数が比較的多いときにも、上記と同様の表示態様となる。
【００８４】
図９（ａ）に示すプレビュー画面５Ｂの表示状態で、操作者が、上記図８の歯場面と同様、キーボード３を操作して、文字「う」「め」を入力したとする。
【００８５】
この場合、図９（ｂ）に示すように、プレビュー画面５Ｂでは、上記入力された文字列「うめ」の各文字が、未確定文字列の各文字として、ラベルイメージＩＭ内のカーソル５１の位置から続けて、色が反転された状態で表示される。このとき、確定文字列及び未確定文字列「うめ」を含むラベルイメージＩＭは、当該未確定文字列「うめ」の各文字が、プレビュー画面５Ｂのうちの前側端部において所定のサイズで表示されるように、自動的にサイズ調整（この例では拡大）されて表示される。また、これと同時に、上記入力された文字列「うめ」に対する変換候補を左横書きで表示するポップアップ５３が、プレビュー画面５Ｂのうちの未確定文字列「うめ」の後側において、上記拡大されたラベルイメージＩＭ上に被せて表示される。
【００８６】
以上説明した本変形例においては、未確定文字列を含むラベルイメージＩＭを、当該未確定文字列の各文字が表示領域５Ａのうちの前側端部において左右方向に沿って所定のサイズで表示されるように、サイズ調整して表示しつつ、ポップアップ５３を、表示領域５Ａのうちの未確定文字列よりも後側において表示する。これにより、上記実施形態と同様の効果を得ることができる。
【００８７】
（２）未確定文字列を後側端部、ポップアップをその前側に表示する場合
以上においては、未確定文字列の各文字を、プレビュー画面５Ｂのうちの前側端部において表示しつつ、ポップアップ５３を、プレビュー画面５Ｂのうちの未確定文字列の後側において表示した場合を例にとって説明したが、これに限られない。例えば、未確定文字列の各文字を、プレビュー画面５Ｂのうちの後側端部（プレビュー画面５Ｂを上方から見た上記図６（ａ）〜（ｄ）中上側端部。本変形例では第２方向の一方側端部及び所定の部分に相当）において表示しつつ、ポップアップ５３を、プレビュー画面５Ｂのうちの未確定文字列の前側（プレビュー画面５Ｂを上方から見た上記図６（ａ）〜（ｄ）中下側。本変形例では第２方向の他方側に相当）において表示してもよい。この場合も同様の効果を得る。
【００８８】
（３）その他
以上においては、カートリッジセンサ６により、装着されたカートリッジ８の種類を検出し、これに対応して当該カートリッジ８におけるカバーフィルム１０３のテープ幅をＣＰＵ２１２が取得したが、これに限られない。すなわち、操作者が、上記テープ幅をキーボード３や機能キー群４等を介して手動で操作入力し、その入力結果をＣＰＵ２１２が取得して用いるようにしてもよい。この場合も同様の効果を得る。
【００８９】
また、以上の説明において、「垂直」「平行」「平面」等の記載がある場合には、当該記載は厳密な意味ではない。すなわち、それら「垂直」「平行」「平面」等とは、設計上、製造上の公差、誤差が許容され、「実質的に垂直」「実質的に平行」「実質的に平面」等という意味である。
【００９０】
また、以上の説明において、外観上の寸法や大きさが「同一」「等しい」「異なる」等の記載がある場合は、当該記載は厳密な意味ではない。すなわち、それら「同一」「等しい」「異なる」等とは、設計上、製造上の公差、誤差が許容され、「実質的に同一」「実質的に等しい」「実質的に異なる」等という意味である。但し、例えばしきい値や基準値等、所定の判定基準となる値あるいは区切りとなる値の記載がある場合は、それらに対しての「同一」「等しい」「異なる」等は、上記とは異なり、厳密な意味である。
【００９１】
また、以上において、図４中に示す矢印は、信号の流れの一例を示すものであり、信号の流れ方向を限定するものではない。
【００９２】
また、図７に示すフローチャートは、本発明を図示する手順に限定するものではなく、発明の趣旨及び技術的思想を逸脱しない範囲内で手順の追加・削除又は順番の変更等をしてもよい。
【００９３】
また、以上既に述べた以外にも、上記実施形態や各変形例による手法を適宜組み合わせて利用してもよい。
【００９４】
その他、一々例示はしないが、本発明は、その趣旨を逸脱しない範囲内において、種々の変更が加えられて実施されるものである。
【符号の説明】
【００９５】
１                印刷装置
３                キーボード（操作手段）
４                機能キー群（操作手段）
５                液晶ディスプレイ（表示手段）
５Ａ              表示領域
２３              サーマルヘッド（印字手段）
５３              ポップアップ（変換候補画面領域）
１０３            カバーフィルム（被印字テープ）
１０８            テープ送りローラ駆動軸（搬送手段）
１１２            ＣＰＵ
ＩＭ              ラベルイメージ（外観イメージ）
【図１】
0006455345.tif 000002
【図２】
0006455345.tif 000003
【図３】
0006455345.tif 000004
【図４】
0006455345.tif 000005
【図５】
0006455345.tif 000006
【図６】
0006455345.tif 000007
【図７】
0006455345.tif 000008
【図８】
0006455345.tif 000009
【図９】
0006455345.tif 000010